(57)【要約】キルティング定規（１０）は、四角又は矩形の形状を有し、第１、第２、第３、及び第４のエッジ（２，４，６，８）を有し、第１組の等間隔に離間された目盛（１２）が、定規の第１エッジ及び第３エッジ（２，６）に平行に延び、且つ、定規の第２エッジ及び第４エッジ（４，８）に平行に延びる第２組の等間隔に離間された目盛（１４）に対して直角に延びる。第１組の目盛の最初のラインは、該組の目盛の最後のラインが定規の第３エッジ（６）から離間されるときの間隔とは異なる間隔で、定規の第１エッジ（２）から離間され、第１エッジから第１組の目盛の各ラインまでの距離と、第２エッジから第２組の目盛の各ラインまでの距離は、定規の第１エッジ及び第２エッジの使用時に視認可能にマーキングされ、第３エッジから第１組の目盛の各ラインまでの距離と、第４エッジから第２組の目盛の各ラインまでの距離は、定規の第３エッジ及び第４エッジの使用時に視認可能にマーキングされる。
2004510511.tif 000002
【特許請求の範囲】
【請求項１】
四角又は矩形の形状を有し、第１、第２、第３、及び第４のエッジを有し、第１組の等間隔に離間された目盛が、定規の第１エッジ及び第３エッジに平行に延び、且つ、定規の第２エッジ及び第４エッジに平行に延びる第２組の等間隔に離間された目盛に対して直角に延びる、キルティング定規において、
第１組の目盛の最初のラインは、該組の目盛の最後のラインが定規の第３エッジから離間されるときの間隔とは異なる間隔で、定規の第１エッジから離間され、
第１エッジから第１組の目盛の各ラインまでの距離と、第２エッジから第２組の目盛の各ラインまでの距離は、定規の第１エッジ及び第２エッジの使用時に視認可能にマーキングされ、
第３エッジから第１組の目盛の各ラインまでの距離と、第４エッジから第２組の目盛の各ラインまでの距離は、定規の第３エッジ及び第４エッジの使用時に視認可能にマーキングされることを特徴とするキルティング定規。
【請求項２】
第１組の目盛の最初のラインは、定規の第１エッジから１インチの間隔で離間され、第１組の目盛の後続のラインは、それぞれ其の前のラインから１インチで離間され、第１組の目盛の最後のラインは、定規の第３エッジから１と２分の１インチの間隔で離間されることを特徴とする請求項１記載のキルティング定規。
【請求項３】
第２組の目盛の最初のラインは、該組の目盛の最後のラインが定規の第４エッジから離間されるときの間隔とは異なる間隔で、定規の第２エッジから離間されることを特徴とする請求項１又は２記載のキルティング定規。
【請求項４】
第２組の目盛の最初のラインは、定規の第２エッジから１インチの間隔で離間され、定規の第２組の後続のラインは、それぞれ其の前のラインから１インチで離間され、第２組の目盛の最後のラインは、定規の第４エッジから２分の１インチの間隔で離間されることを特徴とする請求項１〜３のいずれかに記載のキルティング定規。
【請求項５】
第１エッジから第１組の目盛の各ラインまでの距離と、第２エッジから第２組の目盛の各ラインまでの距離は、定規の表面上に参照符号を印刷することによってマーキングされ、定規の第１エッジ及び第２エッジの使用時に視認可能であるように定規エッジから該ラインの距離が特定され、
第３エッジから第１組の目盛の各々までの距離と、第４エッジから第２組の目盛の各々までの距離は、定規の第３エッジ及び第４エッジの使用時に視認可能にマーキングされることを特徴とする請求項１〜４のいずれかに記載のキルティング定規。
【請求項６】
第１エッジ及び第２エッジからの距離を特定する参照符号の組は、第３エッジ及び第４エッジからの距離を特定する参照符号に対して１８０度逆向きに印刷されることを特徴とする請求項５記載のキルティング定規。
【請求項７】
参照符号は、異色の布帛の視認性を向上させるために色の組合せの形態で印刷されることを特徴とする請求項６記載のキルティング定規。
【請求項８】
透明な材料で形成されることを特徴とする請求項１〜７のいずれかに記載のキルティング定規。
【請求項９】
型成形アクリル又は押出成形アクリルから形成されることを特徴とする請求項８記載のキルティング定規。
【請求項１０】
反対表面又は布接触表面に滑り止め面を有することを特徴とする請求項１〜９のいずれかに記載のキルティング定規。
【請求項１１】
添付図面に関連すると共に実質上記載されるキルティング定規。
【発明の詳細な説明】
【０００１】
【発明の属する技術分野】
本発明は、改良型の定規（ｒｕｌｅｒ）に関し、特に、改良型キルティング定規（ｑｕｉｌｔｉｎｇ ｒｕｌｅｒ）に関する。
【０００２】
【従来の技術と発明が解決しようとする課題】
キルティングに使用される定規を提供することが知られており、該定規は、一連のマーキングを具備しており、それによってキルティング作業者は、所定パターンに従うように特定の所定採寸に従って、キルト製造中に使用されるべき布（ｆａｂｒｉｃ）を計測及びカットすることができる。各品のために大量の布片が必要とされる事実のために、定規には、容易に使用でき且つ透明であることが要求される。
【０００３】
キルト製造に使用されるパターンは、米国で殆ど独占的に製造され、従って、インペリアル・ユニット（Ｉｍｐｅｒｉａｌ ｕｎｉｔｓ）に記載され、本発明の改良型定規がインペリアル・ユニットに限定されないものの、本発明の改良型定規は、其のようなユニットに使用するのに特に好適である。
【０００４】
インペリアル・ユニットのために使用される公知のキルティング定規は、形状が略四角又は矩形であり、１インチ（２．５４ｃｍ）の間隔に概ね区切られ、それはキルティング作業者が使用するのに好都合で透明にできる最も狭い目盛間隔であるからである。追加の補助的なマーキングが概ね４分の１インチ間隔で設けられる。十分に複雑なパターンをキルティング作業者が得ることができるようにするには、キルティング作業者が２分の１インチの寸法で布片を切ることができる必要があり、従って、キルティング作業者が布の計測及び切断の際にこれらの追加の補助的なマーキングを使用する必要がある。これによって、布の切断に要する時間が増大し、ミスの機会が増大するが、それは追加の補助的なマーキングが主たるマーキングほど透明でないからである。
【０００５】
形状が四角又は矩形であるキルティング定規が知られている。使用時にキルティング作業者は、所望のデザインの布片が正しい位置に位置するように、計測して切断する布の上に定規を配置し、次いで、所望の寸法を測って定規エッジに沿って切断を行う。例えば、２インチ×２・１／２インチの大きさの布片を切断することを希望する場合、キルティング作業者は、第２の採寸を行うために追加の補助的なマーキングを用いる必要がある。
【０００６】
本発明の目的は、上記不都合が低減ないし実質上除去できるような改良型のキルティング定規を提供することである。
【０００７】
【課題を解決するための手段】
本発明は、四角又は矩形の形状を有し、第１、第２、第３、及び第４のエッジを有し、第１組の等間隔に離間された目盛が、定規の第１エッジ及び第３エッジに平行に延び、且つ、定規の第２エッジ及び第４エッジに平行に延びる第２組の等間隔に離間された目盛に対して直角に延びる、キルティング定規において、第１組の目盛の最初のラインは、該組の目盛の最後のラインが定規の第３エッジから離間されるときの間隔とは異なる間隔で、定規の第１エッジから離間され、第１エッジから第１組の目盛の各ラインまでの距離と、第２エッジから第２組の目盛の各ラインまでの距離は、定規の第１エッジ及び第２エッジの使用時に視認可能にマーキングされ、第３エッジから第１組の目盛の各ラインまでの距離と、第４エッジから第２組の目盛の各ラインまでの距離は、定規の第３エッジ及び第４エッジの使用時に視認可能にマーキングされることを特徴とする。
【０００８】
本発明に係る定規の好適な実施態様において、第１組の目盛の最初のラインは、定規の第１エッジから１インチの間隔で離間され、第１組の目盛の後続のラインは、それぞれ其の前のラインから１インチで離間され、第１組の目盛の最後のラインは、定規の第３エッジから１と２分の１インチの間隔で離間される。
【０００９】
本発明に係るキルティング定規の別の好適な実施態様において、第２組の目盛の最初のラインは、該組の目盛の最後のラインが定規の第４エッジから離間されるときの間隔とは異なる間隔で、定規の第２エッジから離間される。
【００１０】
本発明に係る定規の特に好適な実施態様において、第２組の目盛の最初のラインは、定規の第２エッジから１インチの間隔で離間され、定規の第２組の後続のラインは、それぞれ其の前のラインから１インチで離間され、第２組の目盛の最後のラインは、定規の第４エッジから２分の１インチの間隔で離間される。
【００１１】
第１エッジから第１組の目盛の各ラインまでの距離と、第２エッジから第２組の目盛の各ラインまでの距離は、好ましくは、定規の表面上に参照符号を印刷することによってマーキングされ、定規の第１エッジ及び第２エッジの使用時に、通常は、定規の第１エッジ及び第２エッジが定規の右手及び上部エッジのように位置される時に、視認可能であるように定規エッジから該ラインの距離が特定され、第３エッジから第１組の目盛の各々までの距離と、第４エッジから第２組の目盛の各々までの距離は、定規の第３エッジ及び第４エッジの使用時に、通常は、定規の第３エッジ及び第４エッジが定規の右手及び上部エッジのように位置される時に、視認可能にマーキングされる。
【００１２】
第１エッジ及び第２エッジからの距離を特定する参照符号の組は、好ましくは、第３エッジ及び第４エッジからの距離を特定する参照符号に対して１８０度逆向きに印刷される。
【００１３】
参照符号は、異色の布帛の視認性を向上させるために色の組合せの形態で印刷され得る。
【００１４】
本発明に係る定規は、任意の好適な材料、特に、透明な材料で形成され得る。
【００１５】
本発明に係る定規は、押出成形できるし、より好ましくは型成形できる、アクリルで製造され得る、ということが特に好ましい。
【００１６】
本定規は、反対表面又は布接触表面に滑り止め面を有することができる。
【００１７】
【発明の実施の形態】
以下、キルティング定規の３つの実施態様が添付図面を参照して記載される。
【００１８】
図１及び２から理解され得るように、１０で全体視された四角のキルティング定規は、エッジ２、４、６、８を有する四角い透明アクリル材料から成る。第１組の目盛（ｒｕｌｉｎｇｓ）１２と第２組の目盛１４は、定規のエッジ２及び６と４及び８にそれぞれ平行であるように定規上に印刷される。第１組の目盛１２は、エッジ２から１インチ間隔で離間され、定規のエッジ６から１／２インチ、１と１／２インチなどに離間される。第２組の目盛１４は、エッジ４から１インチ間隔で離間され、定規のエッジ８から１／２インチ、１と１／２インチなどに離間される。
【００１９】
参照符号の組１６及び１８は、右手又は上部の基準エッジから各ラインの距離を示す。定規が図１に示すように位置決めされる場合、使用者は、定規のその向きに関連する第１組の参照符号１６を読むことができ、図２から理解され得るように、定規の１８０度回転により、使用者は、定規のその向きに関連する第２組の参照符号１８を読むことができる。
【００２０】
定規１０は、更に滑り止めマーキング（図示せず）を反対面に具備する。
【００２１】
図３から理解され得るように、２０で全体視される矩形のキルティング定規は、エッジ２２、２４、２６、２８を有する四角い透明アクリル材料から成る。第１組の目盛３０と第２組の目盛３２は、定規のエッジ２２及び２６と２４及び２８にそれぞれ平行であるように定規上に印刷される。第１組の目盛３０は、エッジ２２から１インチ間隔で離間され、定規のエッジ２６から１／２インチ、１と１／２インチなどに離間される。第２組の目盛３２は、エッジ２４から１インチ間隔で離間され、定規のエッジ２８から１インチ間隔で離間される。
【００２２】
図４から理解され得るように、４０で全体視される別の実施態様の矩形キルティング定規は、エッジ４２、４４、４６、４８を有する四角い透明アクリル材料から成る。第１組の目盛５０と第２組の目盛５２は、定規のエッジ４２及び４６と４４及び４８にそれぞれ平行であるように定規上に印刷される。第１組の目盛５０は、エッジ４２から１インチ間隔で離間され、定規のエッジ４６から１／２インチ、１と１／２インチなどに離間される。第２組の目盛５２は、エッジ４４から１インチ間隔で離間され、定規のエッジ４８から１／２インチ、１と１／２インチなどに離間される。
【００２３】
参照符号の組３４及び３６、５４及び５６は、右手又は上部の基準エッジから各ラインの距離を示す。定規が図３又は４に示すように位置決めされる場合、使用者は、定規のその向きに関連する第１組の参照符号３４又は５４を読むことができ、図１の定規と同様、定規の１８０度回転により、使用者は、定規のその向きに関連する第２組の参照符号３６又は５６を読むことができる。
【００２４】
定規２０又は４０は、更に滑り止めマーキング（図示せず）を反対面に具備する。
【図面の簡単な説明】
【図１】
図１は、四角いキルティング定規の一実施態様を示す図である。
【図２】
図２は、１８０度回転された図１の定規を示す図である。
【図３】
図３は、矩形のキルティング定規の最初の実施態様を示す図である。
【図４】
図４は、矩形のキルティング定規の別の実施態様を示す図である。
【国際公開パンフレット】
2004510511.tif 000003
2004510511.tif 000004
2004510511.tif 000005
2004510511.tif 000006
2004510511.tif 000007
2004510511.tif 000008
2004510511.tif 000009
2004510511.tif 000010
2004510511.tif 000011
2004510511.tif 000012
2004510511.tif 000013
2004510511.tif 000014
2004510511.tif 000015
【国際調査報告】
2004510511.tif 000016
2004510511.tif 000017
2004510511.tif 000018